(57)【要約】【課題】  受光センサの片側に照明用の発光素子を配置する場合であっても、受光センサの読取可能範囲を適切に示すエーマ光を出力できるようにする。【解決手段】  光反射率が周囲と異なる記号に示される情報を読み取る光学的情報読取装置であるバーコード読取装置１０において、受光センサであるリニアセンサ１１と、リニアセンサ１１に光を結像させるための撮像レンズ１２と、発光素子であるＬＥＤ２１と、ＬＥＤ２１が発する光を投光するための投光レンズ２４と、ＬＥＤ２１が発する光の投光範囲を規制するための見切り部であって、ＬＥＤ２１が発する光のうち、中心位置が投光レンズ２４の光軸２４ａの位置よりも撮像レンズ１２の光軸１２ａ側にずれた所定の範囲以外の光を遮光する第１開口部２２ｂ及び第２開口部２３ｂを設けた。【選択図】        図１
2015076105.tif 000002
【特許請求の範囲】
【請求項１】
光反射率が周囲と異なる記号に示される情報を読み取る光学的情報読取装置であって、
受光センサと、
該受光センサに光を結像させるための撮像レンズと、
発光素子と、
前記発光素子が発する光を投光するための投光レンズと、
前記発光素子が発する光の投光範囲を規制するための見切り部であって、前記発光素子が発する光のうち、中心位置が前記投光レンズの光軸の位置よりも前記撮像レンズの光軸側にずれた所定の範囲以外の光を遮光する見切り部と
を備えることを特徴とする光学的情報読取装置。
【請求項２】
請求項１に記載の光学的情報読取装置であって、
前記見切り部が、
投光範囲を規制するための第１開口部と、
前記発光素子が発する光の投光光路において前記第１開口部よりも投光レンズ側に位置し、中心位置が前記投光レンズの光軸よりも前記撮像レンズの光軸側にずれた位置にある１つの第２開口部と
により前記投光範囲の規制を行うことを特徴とする光学的情報読取装置。
【請求項３】
請求項１に記載の光学的情報読取装置であって、
前記見切り部が、中心位置が前記投光レンズの光軸よりも前記撮像レンズの光軸側にずれた位置にある１つの開口部により、前記投光範囲の規制を行うことを特徴とする光学的情報読取装置。
【請求項４】
請求項１乃至３のいずれか一項に記載の光学的情報読取装置であって、
前記受光センサの読取適正距離範囲の最近距離以遠において、前記投光範囲のうち前記撮像レンズの光軸側と反対側の端部が、前記撮像レンズの視野範囲内に位置することを特徴とする光学的情報読取装置。
【請求項５】
請求項１乃至４のいずれか一項に記載の光学的情報読取装置であって、
前記撮像レンズの、前記投光レンズの光軸側と反対側の視野角と、前記投光範囲の、前記撮像レンズの光軸側の広がり角とが等しいことを特徴とする光学的情報読取装置。
【請求項６】
請求項１乃至４のいずれか一項に記載の光学的情報読取装置であって、
前記受光センサの読取適正距離範囲の最遠距離までの範囲において、前記投光範囲のうち前記撮像レンズの光軸側の端部が、前記撮像レンズの視野範囲内に位置することを特徴とする光学的情報読取装置。
【請求項７】
光反射率が周囲と異なる記号に示される情報を読み取る光学的情報読取装置における照明方法であって、
発光素子が発する光のうち所定の範囲以外の光を見切り部によって遮光して、前記見切り部を通過した光を対象物に投光し、
前記所定の範囲の中心位置が、前記発光素子が発する光を投光するための投光レンズの光軸の位置よりも、受光センサに光を結像させるための撮像レンズの光軸側にずれた位置にあることを特徴とする照明方法。
【請求項８】
請求項７に記載の照明方法であって、
前記見切り部が、
投光範囲を規制するための第１開口部と、
前記発光素子が発する光の投光光路において前記第１開口部よりも投光レンズ側に位置し、中心位置が前記投光レンズの光軸よりも前記撮像レンズの光軸側にずれた位置にある１つの第２開口部と
により前記発光素子が発する光の投光範囲の規制を行うことを特徴とする照明方法。
【請求項９】
請求項７に記載の照明方法であって、
前記見切り部が、中心位置が前記投光レンズの光軸よりも前記撮像レンズの光軸側にずれた位置にある１つの開口部により、前記発光素子が発する光の投光範囲の規制を行うことを特徴とする照明方法。
【請求項１０】
請求項７乃至９のいずれか一項に記載の照明方法であって、
前記受光センサの読取適正距離範囲の最近距離以遠において、前記発光素子が発する光の投光範囲のうち前記撮像レンズの光軸側と反対側の端部が、前記撮像レンズの視野範囲内に位置することを特徴とする照明方法。
【請求項１１】
請求項７乃至１０のいずれか一項に記載の照明方法であって、
前記撮像レンズの、前記投光レンズの光軸側と反対側の視野角と、前記発光素子が発する光の投光範囲の、前記撮像レンズの光軸側の広がり角とが等しいことを特徴とする照明方法。
【請求項１２】
請求項７乃至１０のいずれか一項に記載の照明方法であって、
前記受光センサの読取適正距離範囲の最遠距離までの範囲において、前記発光素子が発する光の投光範囲のうち前記撮像レンズの光軸側の端部が、前記撮像レンズの視野範囲内に位置することを特徴とする照明方法。
【発明の詳細な説明】
【技術分野】
【０００１】
この発明は、光学的情報読取装置に関し、特に読取対象物に投光する投光部に特徴を有する光学的情報読取装置に関する。また、本発明は、このような光学的情報読取装置における照明方法にも関する。
【背景技術】
【０００２】
リニアセンサを用いた従来のバーコード読取装置１００において、図６に示したように、読取装置筐体の中心に撮像レンズ１１１及びリニアセンサ１０１を設け、このリニアセンサ１０１の両サイドに対称に第１ＬＥＤ（発光ダイオード）１０２及び第２ＬＥＤ１０３を設けたものが知られている。第１ＬＥＤ１０２と第２ＬＥＤ１０３は投光レンズ１１２と投光レンズ１１３とを通して、それぞれライン状のエーマ光１２２とエーマ光１２３を生成し、これらのエーマ光の一部が重なって、見かけ上１本のエーマ光となっている。第１ＬＥＤ１０２が出力するエーマ光は、直線１０２ａと直線１０２ｂの間の領域に生成され、第２ＬＥＤ１０３が出力するエーマ光は、直線１０３ａと直線１０３ｂの間の領域に生成される。
【０００３】
ここで、第１ＬＥＤ１０２と第２ＬＥＤ１０３が撮像レンズ１１１に対して対称的な配置であるため、生成された見かけ上１本のエーマ光の中心は、撮像レンズ１１１の視野範囲（直線１０１ａと直線１０１ｂの間の領域）の中心１０１ｃと重なる。従って、バーコード読取装置１００の使用者がエーマ光の中心をバーコードに合わせると、撮像レンズ１１１から見た視点でもバーコードを同じく視野範囲に中心に捉えることができるので、使用者は違和感なくバーコード読取装置１００とバーコードの位置合わせを行うことができる。
【０００４】
このようなバーコード読取装置については、例えば特許文献１及び特許文献２に記載がある。
【先行技術文献】
【特許文献】
【０００５】
【特許文献１】米国特許第７９０９２５７号明細書
【特許文献２】特開２００９−７５７８４号公報
【発明の概要】
【発明が解決しようとする課題】
【０００６】
近年、ＬＥＤの発光効率が飛躍的に向上されており、従来２つのＬＥＤで出していた照明パワーは１つのＬＥＤでも実現できるようになっている。そして、読取装置の小型化から、２つのＬＥＤより１つのＬＥＤが有利である。２つのＬＥＤを使用すると、２つの同じ光学部品が必要であるため、バーコード読取装置のコストダウンに不利である。
【０００７】
１つのＬＥＤのみを用いてエーマ光を生成する場合、例えば図７のような構成が考えられる。すなわち、バーコード読取装置２００の筐体において、リニアセンサ２０１の隣にＬＥＤ２０２を設け、撮像レンズ２１１の隣に投光レンズ２１２を設ける。そして、撮像レンズ２１１の視野範囲の両端である直線２０１ａ及び直線２０１ｂが、エーマ光の両端である直線２０２ａ（ＬＥＤ２０２から見てリニアセンサ２０１に近い側）及び直線２０２ｂ（ＬＥＤ２０２から見てリニアセンサ２０１から遠い側）と、それぞれ概ね平行になるようにエーマ光を出力することが考えられる。
【０００８】
この場合、エーマ光の中心２０２ｃと撮像レンズ視野の中心２０１ｃとの間には、ＬＥＤ２０２と撮像レンズ２１１とがその中心軸に垂直な方向に離れた距離分のずれが発生する。このため、バーコード読取装置２００の使用者がエーマ光の中心２０２ｃをバーコードに合わせても、撮像レンズ２１１から見た視点では、バーコードは視野の中心２０１ｃから上記ずれ量だけずれた位置にあることになってしまう。
【０００９】
このため、バーコードを、符号２２１ａで示すようにエーマ光の図で上側の端部付近にかざして読もうとすると、撮像レンズ２１１（センサ２０１）の視野からはみ出すため、読み取れないことになってしまう。一方、バーコードを、符号２２１ｂで示すようにエーマ光の図で下側の端部付近にかざすと、撮像レンズ２１１の視野内のため、問題なく読み取ることができる。さらに、エーマ光の範囲から少し外れたとしても読取可能である。
【００１０】
このように、バーコード読取装置２００の使用者は、読み取れないゾーンが偏って存在することに違和感を覚えることになる。
【００１１】
このような問題は、光反射率が周囲と異なる記号に示される情報を読み取る光学的情報読取装置においては、バーコード以外の情報を読み取る場合でも、リニアセンサ以外のセンサを用いて読み取りを行う場合でも、程度の差はあれ同様に発生するものである。
【００１２】
この発明は、このような事情に鑑みてなされたものであり、受光センサの片側に照明用の発光素子を配置する場合であっても、受光センサの読取可能範囲を適切に示すエーマ光を出力できるようにすることを目的とする。
【課題を解決するための手段】
【００１３】
以上の目的を達成する本発明は、光反射率が周囲と異なる記号に示される情報を読み取る光学的情報読取装置に関するものである。
このような光学的情報読取装置において、受光センサと、その受光センサに光を結像させるための撮像レンズと、発光素子と、上記発光素子が発する光を投光するための投光レンズと、上記発光素子が発する光の投光範囲を規制するための見切り部であって、上記発光素子が発する光のうち、中心位置が上記投光レンズの光軸の位置よりも上記撮像レンズの光軸側にずれた所定の範囲以外の光を遮光する見切り部とを設けるとよい。
さらに、上記見切り部が、投光範囲を規制するための第１開口部と、上記発光素子が発する光の投光光路において上記第１開口部よりも投光レンズ側に位置し、中心位置が上記投光レンズの光軸よりも上記撮像レンズの光軸側にずれた位置にある１つの第２開口部とにより上記投光範囲の規制を行うものであるとよい。
あるいは、上記見切り部が、中心位置が上記投光レンズの光軸よりも上記撮像レンズの光軸側にずれた位置にある１つの開口部により、上記投光範囲の規制を行うものであるとよい。
【００１４】
また、上記受光センサの読取適正距離範囲の最近距離以遠において、上記投光範囲のうち上記撮像レンズの光軸側と反対側の端部が、上記撮像レンズの視野範囲内に位置するとよい。
さらに、上記撮像レンズの、上記投光レンズの光軸側と反対側の視野角と、上記投光範囲の、上記撮像レンズの光軸側の広がり角とが等しいとよい。
あるいは、上記受光センサの読取適正距離範囲の最遠距離までの範囲において、上記投光範囲のうち上記撮像レンズの光軸側の端部が、上記撮像レンズの視野範囲内に位置するとよい。
【００１５】
上記の光学的情報読取装置には、例えば、１個の読取用センサユニット（撮像レンズ等を含む）と、上記センサユニットの片側に配置された１個の照明用ＬＥＤユニット（複数の発光点を備えることを妨げない）を内蔵している。読取用センサユニットによる読取対象の情報は、例えば、バーコード記号等のコード記号である。
上記照明用ＬＥＤユニットは、センサの読取可能範囲を示すためのエーマ光を生成するために用いる。
【００１６】
上記照明用ＬＥＤユニットからの照明光（エーマ光）は、上記センサに近い側（センサのある側）ではセンサの読取可能範囲とほぼ平行した範囲を照射し、上記センサから遠い側（センサと反対側）ではセンサの読取適正距離範囲の最近距離（例えば約60mm）で読取可能範囲と交差する（それよりも遠部では照射光が読取可能範囲の内側に来る）ように少し狭めて照射するとよい。
【００１７】
上記照明用ＬＥＤユニットからの照明光は、上記照明用ＬＥＤユニットの照射側（読取対象物側）に配置された１個の開口部を持った第１のスリット板と、それよりも更に照射側に配置され１個の開口部を持った第２のスリット板を組み合わせ、更に上記第１と第２の開口部の相対位置関係を上記照明用ＬＥＤの発光点の中心に対して非対称にすることで実現することができる。この場合、第１のスリット板は、上記照明用ＬＥＤからの照明光のビーム形状をエーマ光に適した形状に整えるために用いる。第２のスリット板は、第１のスリット板を通過したビームの端部を見切ってエーマ光の幅をセンサの読取可能範囲に合わせるために用いる。
【００１８】
具体的には、上記照明用ＬＥＤユニットの発光点の中心に対しての上記第１開口部と上記第２開口部の位置関係を、上記第２開口部を上記第１開口部に比べてセンサに近い側にシフトすることにより上記のとおり非対称にするとよい。
【００１９】
上記エーマ光は、３以上のスリット板を使用して実現してもよい。上記の説明では、スリット板を使用してエーマ光を生成したが、スリット板の代わりにモールド等で開口部を一体形成してもよい。
【００２０】
逆に、上記照明用ＬＥＤユニットの照射側に、１つの開口部であって、その形状が、上記照明用ＬＥＤユニットの発光点の中心位置に対して非対称な（上記センサから遠い側の方が上記センサに近い側よりも開口部が狭い）開口部を設け、その開口部に上記照明用ＬＥＤユニットが発光する光を通過させることによって上記エーマ光を実現してもよい。上記１つの開口部は、上記第１のスリット板の開口部と上記第２のスリット板の開口部の機能を兼ね備えたものである。
【００２１】
また、上記エーマ光のうち上記センサに近い側の照射範囲を読取可能範囲とほぼ平行としたが、照射範囲が読取適正距離範囲の最遠部よりも遠部（例えば200mm程度）で読取可能範囲と交差する（更に遠部では照射範囲が読取可能範囲の外側に来る）ように少し広げてもよい。
【００２２】
スリット板の開口部の形状は例えば長方形とすることが考えられるが、以上説明してきた照射範囲を実現できれば、開口部の形状は長方形でなくてもよい。
【００２３】
また、この発明の光学的情報読取装置は、光反射率が周囲と異なる記号に示される情報を読み取る光学的情報読取装置において、受光センサと、該受光センサに光を結像させるための１つの撮像レンズと、１つの発光素子とを備え、その発光素子から出力されるエーマ光の内側（上記受光センサのある側）の投光幅を上記撮像レンズの視野と同様になるようにし、外側（上記受光センサと反対側）の投光幅を一定の距離から上記撮像レンズの視野内に入るようにエーマ光の全体の照明範囲を設定するようにしたものである。上記一定の距離が上記情報の読取可能範囲のほぼ最近距離（例えば約60mm）である。上記エーマ光の照明範囲の設定は、発光素子の、読取対象物側に第１開口部を設け、更にそれよりも読取対象物側に第２開口部を設け、上記第２開口部の中心を上記第１開口部の中心より撮像レンズ側（センサ側）にずらすように投光光路を配置することにより行う。
【００２４】
上記第１及び第２の開口部に代えて、中心位置が発光素子の発光中心点よりも撮像レンズ側（センサ側）にずらした位置に設けた第１の開口部を用いてもよい。
【００２５】
この発明は、装置として実現する他、光学的情報読取装置における照明方法として実現することができる。
【発明の効果】
【００２６】
以上のような本発明の構成によれば、受光センサの片側に照明用の発光素子を配置する場合であっても、受光センサの読取可能範囲を適切に示すエーマ光を出力できるようにすることができる。
【図面の簡単な説明】
【００２７】
【図１】この発明の光学的情報読取装置の一実施形態であるバーコード読取装置１０の模式的な断面図である。
【図２】ＬＥＤ２１の発光点２１ａと、第１開口部２２及び第２開口部２３との位置関係を示す図である。
【図３】撮像レンズ１２の視野範囲とエーマ光の照射範囲との関係を示す図である。
【図４】撮像レンズ１２の視野範囲とエーマ光の照射範囲との関係の別の例を示す図である。
【図５】開口部の別の例を示す図である。
【図６】従来のバーコード読取装置の構成の一例を示す図である。
【図７】１つのＬＥＤを用いてエーマ光を生成するバーコード読取装置の構成の一例を示す図である。
【発明を実施するための形態】
【００２８】
以下、この発明を実施するための形態を図面に基づいて説明する。
【００２９】
まず図１に、この発明の光学的情報読取装置の一実施形態であるバーコード読取装置１０の模式的な断面図を示す。図１は、バーコード読取装置１０の構成を、受光センサと発光素子及び開口部の位置関係に注目して示す図である。
【００３０】
図１に示すバーコード読取装置１０は、光反射率が周囲と異なる記号に示される情報であるバーコード記号を読み取る装置である。
【００３１】
そして、撮像光学系である撮像レンズ１２及び受光センサであるリニアセンサ１１を備え、撮像レンズ１２により、読取対象のバーコード記号からの反射光をリニアセンサ１１上に結像させる。リニアセンサ１１は、ＣＣＤ（Charge  Coupled  Device）をライン状に配列したセンサであり、結像したバーコード記号の像の各位置における光量を取得する。バーコード読取装置１０は、この取得した光量に基づき、読み取り対象のバーコード記号の白バーと黒バーの並びを特定し、バーコード記号を読み取る。
【００３２】
また、バーコード読取装置１０は、エーマ光を投光するための発光素子として、リニアセンサ１１の片側にＬＥＤ２１を備える。また、ＬＥＤ２１から見て、バーコード記号の読み取り時に読取対象物であるバーコード記号が位置する側（図で右側、「読取対象物側」という）に、第１開口部２２ｂを有する第１見切り部２２を備える。その更に読取対象物側、すなわち投光光路上で後ろ側に、第２開口部２３ｂを有する第２見切り部２３を備える。また、第２開口部２３ｂの読取対象物側には投光レンズ２４を備える。
なお、第１見切り部２２及び第２見切り部２３は、それぞれスリット板により形成してもよいが、ここではモールドによりバーコード読取装置１０の外装と一体に形成されているとする。
【００３３】
図２に、ＬＥＤ２１の発光点２１ａと、第１開口部２２ｂ及び第２開口部２３ｂとの位置関係を示す。図２は、撮像レンズ１２の光軸方向の、読取対象物側から見た図である。
【００３４】
図２に示すように、第１開口部２２ｂは、ＬＥＤ２１が発する光の投光範囲を規制するためのものであり、およそ０．５ｍｍ×３．０ｍｍの横長のスリット状の穴である。また、第１開口部２２ｂは、ＬＥＤ２１の発光点２１ａの位置が第１開口部２２ｂの中心軸２２ａと合う位置に設けている。投光レンズ２４の光軸２４ａも、第１開口部２２ｂの中心軸２２ａと合う位置に設けている。これは、ＬＥＤ２１が出力する照明光が第１開口部２２ｂを通過した後そのまま投光レンズ２４を通過して外部に投影されたとした場合には均一な光量分布のライン状のエーマ光となるようにするためである。また、この場合のエーマ光は、第１開口部２２ｂの中心軸２２ａに対して対称な形状となる。
【００３５】
しかし、バーコード読取装置１０においては、第２開口部２３ｂを設け、第１開口部２２ｂを通過した光の片側の端部を見切る（遮る）ことにより投光範囲をさらに規制するようにしている。
【００３６】
図２に示したように、第２開口部２３ｂも横長のスリット状開口であり、第１開口部２２ｂより開口面積が広い。しかし、第２開口部２３ｂの中心軸２３ａは、第１開口部２２ｂの中心軸２２ａよりも少し撮像レンズ１２側（リニアセンサ１１側）へずれている。このため、第１開口部２２ｂを通過した照明光の、撮像レンズ１２と反対側（外側、図２で左側）の一部は第２開口部２３ｂを通過できず、第２開口部２３ｂを設けた第２見切り部２３により遮られる。
【００３７】
そして、第２開口部２３ｂ及び投光レンズ２４を通過したエーマ光は、第１開口部２２ｂの中心軸２２ａ及び投光レンズ２４の光軸２４ａ（いずれも撮像レンズ１２の光軸１２ａと平行である）から見て、撮像レンズ１２に近い側が、撮像レンズ１２から遠い側よりも広がり角が広くなる。すなわち、第１見切り部２２及び第２見切り部２３により、ＬＥＤ２１が発する光のうち、中心位置が投光レンズ２４の光軸２４ａの位置よりも撮像レンズ１２の光軸１２ａ側にずれた所定の範囲以外の光が遮光されて投光範囲が規制され、遮光されない範囲の光が、エーマ光として外部に照射される。
【００３８】
図３に、撮像レンズ１２の視野範囲（リニアセンサ１１の読取可能範囲）とエーマ光の照射範囲との関係を示す。
【００３９】
図３に示すように、撮像レンズ１２の視野範囲は、直線３１ａと直線３１ｂの間の領域である。ここでは、撮像レンズ１２の光軸１２ａと直線３１ａとの間の角α１と、光軸１２ａと直線３１ｂとの間の角α２は、共に２７°であるとする。
【００４０】
また、エーマ光の照射範囲は、直線３２ａと直線３２ｂの間の領域である。直線３２ａと直線３２ｂの位置は、ＬＥＤ２１、第１開口部２２ｂ及び第２開口部２３ｂの位置関係により定まるものである。ここでは、エーマ光の投光軸である投光レンズ２４の光軸２４ａについて、光軸２４ａと直線３２ａとの間の角β１（撮像レンズ１２の光軸１２ａ側の広がり角）が２７°であり、光軸２４ａと直線３２ｂとの間の角β２（撮像レンズ１２の光軸１２ａと反対側の広がり角）が２２°であるとする。すなわち、β１＞β２であり、エーマ光は投光軸に対して非対称となっている。この非対称なエーマ光は、第２開口部２３ｂを光軸２４ａに対して非対称となる位置に設けたことにより得られたものである。
【００４１】
ここで、β２＜α２であるから、撮像レンズ１２と反対側においては、撮像レンズ１２の視野範囲と、エーマ光の投光範囲は、いずれかの位置で交わる。ここでは、この交差位置が、リニアセンサ１１の読取適正距離範囲の最近距離ｄ１（例えば約60mm）となるようにしている。ここで、読取適正距離範囲とは、リニアセンサ１１からどの程度の距離に読取対象のバーコード記号がある場合に、そのバーコード記号の画像をデコード可能な信号が得られる程度の分解能でリニアセンサ１１上に形成できるか、を示す距離範囲である。そして、最近距離ｄ１は、撮像レンズ１２が、リニアセンサ１１上に、デコード可能な程度のバーコード記号の像を形成できる最も短い距離である。
【００４２】
このようにすれば、最近距離ｄ１より遠方では、符号３４で示すように、エーマ光の投光範囲が端部まで撮像レンズ１２の視野範囲内に入るため、バーコード記号をエーマ光の位置に合わせたにも関わらず読み取りができないといった事態が起こらない。すなわち、エーマ光のデッドゾーンが発生しない。
【００４３】
最近距離ｄ１より近くでは、符号３３で示すように、エーマ光の端部３３ａが撮像レンズ１２の視野範囲からはみ出すが、この距離はそもそもバーコード記号の読み取りに使用しないので、この点は特に問題とならない。
【００４４】
なお、β１＝α１であるから、エーマ光の撮像レンズ１２側では、エーマ光の投光範囲は、撮像レンズ１２の視野範囲とほぼ平行した範囲であり、撮像レンズ１２の視野範囲内に収まっている。従って、どの読取距離であっても、エーマ光に位置を合わされたバーコード記号が撮像レンズ１２の視野（リニアセンサ１１の読取可能範囲）からはみ出す問題はない。
【００４５】
従って、図３の構成によれば、読取可能の最近距離から無限遠方まで、エーマ光の照明範囲は撮像レンズ（センサ）の視野内となり、エーマ光の読取デッドゾーンが発生しない。
【００４６】
以上から、図１乃至図３の構成によれば、開口部を適切に配置してエーマ光を投光軸に対して非対称とすることにより、センサの読取可能範囲を適切に示すエーマ光を出力することができる。
【００４７】
ここで、図４に、撮像レンズ１２の視野範囲とエーマ光の照射範囲との関係の別の例を示す。
【００４８】
この例では、エーマ光の撮像レンズ１２側で、β１＞α１として、撮像レンズ１２の視野範囲と、エーマ光の投光範囲が、リニアセンサ１１の読取適正距離範囲の最遠距離ｄ２（例えば約200mm）で交差するようにしている。
【００４９】
このようにすれば、図３の場合よりも、エーマ光の撮像レンズ１２側において、撮像レンズ１２の視野範囲と、エーマ光の投光範囲との間隔を狭めて、一層撮像レンズ１２の視野範囲に近い範囲にエーマ光を投光することができる。もちろん、図４の構成でも、再演距離ｄ２までの範囲において、エーマ光の端部は撮像レンズ１２の視野範囲内に収まる。
【００５０】
なお、ｄ２より遠方では、エーマ光の端部が撮像レンズ１２の視野範囲からはみ出すが、この距離はそもそもバーコード記号の読み取りに使用しないので、この点は特に問題とならない。しかし、交差位置をｄ２より遠方としてもよい。
【００５１】
以上で実施形態の説明を終了するが、装置の構成、用いるセンサ、読み取り対象の情報、スリットの数や配置等が上述の実施形態で説明したものに限られないことはもちろんである。
【００５２】
例えば、図５に示すように、第１開口部２２ｂと第２開口部２３ｂの機能を兼ね備えた開口部２５ｂを有する見切り部２５を設けてもよい。この開口部２５ｂは、投光レンズ２４の光軸２４ａに対して非対称となる位置に設ける。すなわち、γ１＜γ２である。このような開口部２５ｂを用いても、図３及び図４に示したような、投光軸に対して非対称なエーマ光が得られる。
【００５３】
以上説明してきた実施形態及び変形例の構成は、相互に矛盾しない限り任意に組み合わせて実施可能であることは勿論である。
【産業上の利用可能性】
【００５４】
以上説明してきた光学的情報読取装置及び照明方法によれば、受光センサの片側に照明用の発光素子を配置する場合であっても、受光センサの読取可能範囲を適切に示すエーマ光を出力することができる。１つの発光素子のみでも適切なエーマ光を出力することができ、光学的情報読取装置のコストダウンを図ることができる。
【符号の説明】
【００５５】
１０…バーコード読取装置、１１…リニアセンサ、１２…撮像レンズ、１２ａ…光軸、２１…ＬＥＤ、２２…第１見切り部、２２ａ…中心軸、２２ｂ…第１開口部、２３…第２見切り部、２３ｂ…第２開口部、２４…投光レンズ、２４ａ…光軸、２５…見切り部、２５ｂ…開口部
【図１】
2015076105.tif 000003
【図２】
2015076105.tif 000004
【図３】
2015076105.tif 000005
【図４】
2015076105.tif 000006
【図５】
2015076105.tif 000007
【図６】
2015076105.tif 000008
【図７】
2015076105.tif 000009